(57)【要約】      （修正有）【課題】  一つの操作具で四つの吐水状態に切替えることができる浄水機能付水栓を提供すること。【解決手段】  水栓本体２のシャワヘッド４は、原水流路Ａを形成する内周面を備えたフィルタ９と、カートリッジケース１０よりなる浄水カートリッジ５を取替自在に内蔵してあるグリップ部６と、吐水口本体７とよりなり、フィルタ９の外側に形成される浄水流路Ｂを有する一方、吐水口本体７は、浄水流路Ｂを流れる浄水が通過する浄水用開口１１と、原水流路Ａを流れる原水が通過する原水用開口１２とを、上流端に有するとともに、操作具１５を切替操作することにより、直放水口１３に浄水用開口１１のみが連通する吐水状態、散水口１４に浄水用開口１１のみが連通する吐水状態、直放水口１３に原水用開口１２のみが連通する吐水状態、および、散水口１４に原水用開口１２のみが連通する吐水状態に切替えるよう構成されている。【選択図】  図７
2006328749.tif 000002
【特許請求の範囲】
【請求項１】
一つの操作具を切替操作することにより、原水直放水、原水散水、浄水直放水、浄水散水の四つの吐水状態に切替えるよう構成されたことを特徴とする浄水機能付水栓。
【請求項２】
水栓本体に原水の供給流路を形成する可撓管を介して接続されたシャワヘッドを備え、このシャワヘッドは、浄水カートリッジを取替自在に内蔵してあるグリップ部と、このグリップ部の下流端に接続される吐水口本体とよりなり、また、浄水カートリッジは、前記供給流路に連通する原水流路を形成する内周面を備えた筒状のフィルタと、このフィルタを収容する筒状のカートリッジケースよりなるとともに、前記フィルタの外側に形成される浄水流路を有する一方、前記吐水口本体は、前記浄水流路を流れる浄水が通過する浄水用開口と、前記原水流路を流れる原水が通過する原水用開口とを、前記吐水口本体の上流端に有するとともに、一つの操作具を切替操作することにより、前記吐水口本体に設けた直放水口に前記浄水用開口のみが連通する吐水状態、前記吐水口本体に設けた散水口に前記浄水用開口のみが連通する吐水状態、前記直放水口に前記原水用開口のみが連通する吐水状態、および、前記散水口に前記原水用開口のみが連通する吐水状態に切替えるよう構成されていることを特徴とする浄水機能付水栓。
【請求項３】
一つの操作具の切替操作に連動していずれの吐水状態かを表示する切替え表示部を吐水口本体における前記操作具の近傍に設けたことを特徴とする請求項１に記載の浄水機能付水栓。
【発明の詳細な説明】
【技術分野】
【０００１】
この発明は、浄水カートリッジをシャワヘッドに内蔵し、操作具によって湯水混合水や水（以下、原水という）と浄水とが切替え可能に構成された浄水機能付水栓に関するものである。
【背景技術】
【０００２】
従来この種の浄水機能付湯水混合水栓として、下記特許文献１に示すように、混合栓本体から供給される湯水混合水や水（以下、原水という）の吐水状態とその浄水の吐水状態とに切替えるための切替手段と、原水または浄水を直放水（ストレート）吐水状態、あるいは、散水（シャワ）吐水状態に切替えるための切替操作部材とを別に備えたシャワヘッドを設け、前記切替手段を、シャワヘッドに設けたシーソー式の操作具とし、この操作具を原水またはその浄水の吐水状態に切替えた上で、前記切替操作部材を直放水吐水状態または散水吐水状態に切替えるようにしたものがある。
【０００３】
また、下記特許文献２に示すように、シャワヘッドの内部に、原水直放水、原水散水および浄水直放水の三つの吐水状態に切替えるためのシリンダ式の切替弁を設け、この切替弁を、弁体と、これを覆うケーシングで構成するとともに、弁体は、軸方向に突き出す軸部を備え、この軸部を介してレバー式で回転式の操作具を弁体に軸方向に連動連結してなる浄水機能付湯水混合水栓がある。
【０００４】
【特許文献１】特開２００４−００３３２０号公報
【特許文献２】特開２００２−３４８９２４号公報
【発明の開示】
【発明が解決しようとする課題】
【０００５】
しかし、前者のものは、原水直放水、原水散水、浄水直放水、浄水散水の四つの吐水状態に切替えるために前記操作具と切替操作部材の両方をそれぞれ操作する必要があった。  また、後者のものは、一つの操作具を操作する点で操作性はよいが、三つの吐水状態に切替える機能しかなかった。
【０００６】
この発明は、上述の事柄に留意してなされたもので、その目的は、一つの操作具で四つの吐水状態に切替えることができる浄水機能付水栓を提供することである。
【課題を解決するための手段】
【０００７】
上記目的を達成するために、この発明の浄水機能付湯水混合水栓は、一つの操作具を切替操作することにより、原水直放水、原水散水、浄水直放水、浄水散水の四つの吐水状態に切替えるよう構成されたことを特徴としている（請求項１）。
【０００８】
また、この発明は別の観点から、水栓本体に原水の供給流路を形成する可撓管を介して接続されたシャワヘッドを備え、このシャワヘッドは、浄水カートリッジを取替自在に内蔵してあるグリップ部と、このグリップ部の下流端に接続される吐水口本体とよりなり、また、浄水カートリッジは、前記供給流路に連通する原水流路を形成する内周面を備えた筒状のフィルタと、このフィルタを収容する筒状のカートリッジケースよりなるとともに、前記フィルタの外側に形成される浄水流路を有する一方、前記吐水口本体は、前記浄水流路を流れる浄水が通過する浄水用開口と、前記原水流路を流れる原水が通過する原水用開口とを、前記吐水口本体の上流端に有するとともに、一つの操作具を切替操作することにより、前記吐水口本体に設けた直放水口に前記浄水用開口のみが連通する吐水状態、前記吐水口本体に設けた散水口に前記浄水用開口のみが連通する吐水状態、前記直放水口に前記原水用開口のみが連通する吐水状態、および、前記散水口に前記原水用開口のみが連通する吐水状態に切替えるよう構成されていることを特徴とする浄水機能付水栓を提供する（請求項２）。
【０００９】
この発明においては、前記四つの吐水状態が一つの操作具の切替操作で可能であるが、一つの操作具を切替操作に連動して、いずれの吐水状態かを表示する切替え表示部を吐水口本体における前記操作具の近傍に設けるのが好ましい（請求項３）。
【発明の効果】
【００１０】
請求項１に係る発明では、一つの操作具を切替操作するだけで、原水直放水、原水散水、浄水直放水、浄水散水の四つの吐水状態に切替えることができるので、従来例の浄水機能付水栓に比べて機能性および操作性を向上できる。
【００１１】
請求項２に係る発明では、一つの操作具を切替操作するだけで、吐水口本体に設けた直放水口に前記浄水用開口のみが連通する吐水状態、前記吐水口本体に設けた散水口に前記浄水用開口のみが連通する吐水状態、前記直放水口に前記原水用開口のみが連通する吐水状態、および、前記散水口に前記原水用開口のみが連通する吐水状態に切替えることができるので、従来例の浄水機能付水栓に比べて機能性および操作性を向上できる。
【００１２】
請求項３に係る発明では、従来例の浄水機能付水栓に比べて機能性および操作性を向上できる上に、一つの操作具を切替操作に連動して、いずれの吐水状態かを表示する切替え表示部を吐水口本体における前記操作具の近傍に設けているので、当該吐水状態を容易に目視できる。
【発明を実施するための最良の形態】
【００１３】
以下、この発明の実施の形態を、図を参照しながら説明する。なお、それによってこの発明は限定されるものではない。
【００１４】
図１〜図７はこの発明の一実施例を示す。図１〜図７において、浄水機能付湯水混合水栓１は、給湯管および給水管に接続されて湯および水を混合する混合栓本体２と、この混合栓本体２に、原水の供給流路ｑを形成する可撓管３を介して接続されたシャワヘッド４とを備えている。このシャワヘッド４は、浄水カートリッジ５を取替自在に内蔵してあるグリップ部６と、このグリップ部６の下流端に接続される吐水口本体７とよりなる。また、浄水カートリッジ５は、前記供給流路ｑに連通する原水流路Ａを形成する内周面８を備えた筒状のフィルタ９と、このフィルタ９を収容する筒状のカートリッジケース１０よりなるとともに、カートリッジケース１０内における前記フィルタ９の外側には浄水流路Ｂが形成されている。また、前記吐水口本体７の上流端、すなわち、後述する収容体２２の導入部２２ｂには、前記浄水流路Ｂを流れる浄水が通過する浄水用開口１１と、前記原水流路Ａを流れる原水が通過する原水用開口１２とが設けられている。１３は吐水口本体７に設けた直放水口、１４は吐水口本体７に設けた散水口である。直放水口１３には、例えばメッシュの周囲を合成樹脂材で縁取りした複数枚の散水板１３ａが設けられている。また、散水口１４にも同様の散水板を設けるのが好ましい。１８はカートリッジケース１０を収容する収容部材、１９は収容部材１８を覆うカバー体である。
【００１５】
以下、この発明の特徴的構成について説明する。
１５は原水直放水、原水散水、浄水直放水、浄水散水の四つの吐水状態に切替えるためのレバー式の切替操作具で、前記吐水口本体７に設けた前記直放水口１３に前記浄水用開口１１のみが連通する吐水状態、前記吐水口本体７に設けた前記散水口１４に前記浄水用開口１１のみが連通する吐水状態、前記直放水口１３に前記原水用開口１２のみが連通する吐水状態、および、前記散水口１４に前記原水用開口１２のみが連通するよう構成されている。
【００１６】
２０はドラム式の切替弁で、弁体２１と、弁体２１を収容するケーシングとしての収容体２２とを備えている。前記弁体２１は、軸方向に突出する有底筒状の軸部２１ａと、原水および／または浄水が導入される筒状の大径の弁室２３と、両者２１ａ，２３の間に位置し、弁室２３よりも小径の小径部２４よりなり、前記切替操作具１５の基部２５を前記軸部２１ａにスプライン結合した状態でねじ止めにより切替操作具１５に連動連結されている。収容体２２は、弁室２３が軸まわにに回動可能なように嵌込まれた筒状の収容体本体２２ａと、収容体本体２２ａに連設され、浄水用開口１１、原水用開口１２を形成する導入部２２ｂとよりなる。
【００１７】
そして、収容体本体２２ａと弁室２３の各胴にはそれぞれ、前記四つの吐水状態をうるための複数の開口が形成されている。この実施例では、弁室２３には、図５に示すように、散水（シャワ）にかかわる三つの開口ｂ，ｃ，ｅと、図６に示すように、直放水（ストレート）にかかわる四つの開口ｇ，ｈ，ｊ，ｋとが設けられている。また、弁体２１は切替操作具１５の切替えのたびに６０°だけ軸まわりに、この実施例では反時計方向に回動するよう構成されている。切替動作は以下の通りである。
【００１８】
（１）まず、シングルレバー２ａを吐水状態にしておく。そして、散水口１４に原水用開口１２のみが連通する原水散水の吐水状態では、図４（Ａ）、図５（Ａ）、図７に示すように、原水用開口１２を通った原水は、収容体本体２２ａの入口開口ａからこれに連通する弁室２３の開口ｂを介して弁室２３内に至り、弁室２３のもう一つの開口ｃからこれに連通する収容体本体２２ａの出口開口ｄに至り、これに連通する散水口１４から吐水する。なお、弁室２３のさらにもう一つの開口ｅは、収容体本体２２ａによって閉塞されている。図６（Ａ）はこの原水散水の吐水状態における直放水にかかわる四つの開口ｇ，ｋ，ｊ，ｈの位置関係を示している。
【００１９】
（２）そして、切替操作具１５を６０°だけ回動させると、この実施例では図４（Ｂ）、図６（Ｂ）に示すような、直放水口１３に前記原水用開口１２のみが連通する吐水状態になる。すなわち、原水用開口１２を通った原水は、収容体本体２２ａの入口開口ａからこれに連通する弁室２３の開口ｇを介して弁室２３内に至り、弁室２３に設けた五個目の開口ｈからこれに連通する収容体本体２２ａの出口開口ｉに至り、これに連通する直放水口１３から吐水する。なお、弁室２３の六、七個目の開口ｊ，ｋは、収容体本体２２ａによって閉塞されている。図５（Ｂ）はこの原水直放水の吐水状態における散水にかかわる三つの開口ｂ，ｅ，ｃの位置関係を示している。
【００２０】
（２）続いて、切替操作具１５を６０°だけ回動させると、この実施例では図４（Ｃ）、図６（Ｃ）に示すような、直放水口１３に浄水用開口１１のみが連通する吐水状態になる。すなわち、浄水用開口１１を通った浄水は、収容体本体２２ａの入口開口ｍからこれに連通する弁室２３の開口ｋを介して弁室２３内に至り、弁室２３の開口ｊからこれに連通する収容体本体２２ａの出口開口ｉに至り、これに連通する直放水口１３から吐水する。図５（Ｃ）はこの浄水直放水の吐水状態における散水にかかわる三つの開口ｂ，ｅ，ｃの位置関係を示している。
【００２１】
（３）続いて、切替操作具１５を６０°だけ回動させると、この実施例では図４（Ｄ）、図５（Ｄ）に示すような、散水口１４に浄水用開口１１のみが連通する吐水状態になる。すなわち、散水口１４に浄水用開口１１のみが連通する浄水散水の吐水状態では、浄水用開口１１を通った浄水は、収容体本体２２ａの入口開口ａからこれに連通する弁室２３の開口ｅを介して弁室２３内に至り、弁室２３の開口ｂからこれに連通する収容体本体２２ａの出口開口ｎに至り、これに連通する散水口１４から吐水する。図６（Ｄ）はこの浄水散水の吐水状態における直放水にかかわる四つの開口ｇ，ｋ，ｊ，ｈの位置関係を示している。
【００２２】
図８は、前記切替操作具１５の切替操作に連動していずれの吐水状態かを表示する切替え表示部３０と、浄水カートリッジ５を交換しなければならない月を表示するインジケータ３１を吐水口本体７における前記切替操作具１５に隣接させて設けたこの発明の他の実施例を示す。この場合、表示部３０をインジケータ３１よりも吐水口本体７側に位置させている。
【００２３】
なお、この発明は、上述した湯水混合水栓に限らず、例えば給水管のみに接続される水栓本体を備えた水栓（単水栓）にも適用できる。
【図面の簡単な説明】
【００２４】
【図１】この発明の一実施例を示す側面図である。
【図２】上記実施例の組付け前の各部材を示す図である。
【図３】上記実施例におけるシャワヘッドを示す縦断面図である。
【図４】上記実施例における四つの切替動作を順をおって説明するための図である。
【図５】上記実施例における四つの切替動作を弁室の散水にかかわる側からみた図である。
【図６】上記実施例における四つの切替動作を弁室の直放水にかかわる側からみた図である。
【図７】上記実施例における原水散水の吐水状態を示す図である。
【図８】この発明の他の実施例におけるシャワヘッドを示す平面図である。
【符号の説明】
【００２５】
１                浄水機能付水栓
２                水栓本体
３                可撓管
４                シャワヘッド
５                浄水カートリッジ
６                グリップ部
７                吐水口本体
９                フィルタ
１０              カートリッジケース
１１              浄水用開口
１２              原水用開口
１３              直放水口
１４              散水口
１５              操作具
ｑ                供給流路
Ａ                原水流路
Ｂ                浄水流路
【図１】
2006328749.tif 000003
【図２】
2006328749.tif 000004
【図３】
2006328749.tif 000005
【図４】
2006328749.tif 000006
【図５】
2006328749.tif 000007
【図６】
2006328749.tif 000008
【図７】
2006328749.tif 000009
【図８】
2006328749.tif 000010